(57)【要約】  【課題】    高電圧ラインの影響を回避して、フラッシュユニットと制御用基板とを適切に接続できるコネクタ端子ユニットを提供する。  【解決手段】  フラッシュユニット１２に供給される電力を供給するための高電圧のリード線Ｘｅ+，Ｘｅ-が接続される端子Ｔ１，Ｔ２（又はＴ１’、Ｔ２’）に隣接する端子Ｔ３（又はＴ３’）は、電気的接続を行わないように空端子とするので、端子Ｔ２（又はＴ２’）から空端子Ｔ３（又はＴ３’）を挟んで隣接する端子Ｔ４（又はＴ４’）に、フラッシュユニット１２の制御に関係のないセルフタイマ用のリード線Ｓｘを接続することによって、高電圧のリード線Ｘｅ+，Ｘｅ-の影響を回避して、適切な信号の授受を行うことができる。【選択図】      図３
2005302638.tif 000002
【特許請求の範囲】
【請求項１】
フラッシュユニットと、制御用基板とを電気的に接続するために用いる、複数の端子を有するコネクタ端子ユニットにおいて、
前記フラッシュユニットに供給される電力を供給するための高電圧ラインが接続される端子に隣接する端子には、電気的接続を行わないことを特徴とするコネクタ端子ユニット。
【請求項２】
前記コネクタ端子ユニットの前記電気的接続を行わない端子以外の端子を、プリント基板のランド部に対して機械的に接触する位置に配置したときに、前記プリント基板における前記電気的接続を行わない端子に対応する位置には、ランド部が形成されていないことを特徴とする請求項１に記載のコネクタ端子ユニット。
【請求項３】
前記電気的接続を行わない端子は、少なくとも一部が前記コネクタ端子ユニットより削除されていることを特徴とする請求項１又は２に記載のコネクタ端子ユニット。
【請求項４】
前記電気的接続を行わない端子は、少なくとも一部が絶縁体で覆われていることを特徴とする請求項１又は２に記載のコネクタ端子ユニット。
【請求項５】
前記コネクタ端子ユニットが３つ以上の端子を有し、前記高電圧ラインが接続される端子に隣接する端子に、更に隣接する端子には、前記フラッシュユニットの制御と関係ない信号を送信するためのラインが接続されることを特徴とする請求項１乃至４のいずれかに記載のコネクタ端子ユニット。
【請求項６】
フラッシュユニットと、制御用基板とを電気的に接続するために用いる、３つ以上の端子を有するコネクタ端子ユニットにおいて、
同電位の高電圧ラインが接続される第１端子と第２端子間の距離は、前記第１端子又は前記第２端子以外の電気的接続を行う第３端子から、前記第１端子と前記第２端子のうち近い方の端子までの距離より小さいことを特徴とするコネクタ端子ユニット。
【請求項７】
前記コネクタ端子ユニットが等間隔に配置された端子を有しているときは、前記高電圧ラインが接続される第１端子と第２端子に隣接する端子を排除し、排除した端子に隣接していた端子を第３の端子として使用することを特徴とする請求項６に記載のコネクタ端子ユニット。
【請求項８】
前記ラインと端子とは機械的に接続されるようになっていることを特徴とする請求項１〜７のいずれかに記載のコネクタ端子ユニット。
【発明の詳細な説明】
【技術分野】
【０００１】
本発明は、コネクタ端子ユニットに関し、特にフラッシュユニットと制御用基板とを接続するために用いるコネクタ端子ユニットに関する。
【背景技術】
【０００２】
カメラなどに搭載されるフラッシュユニットにおいて、調光センサを用いて、フラッシュの発光制御を行うことが知られている。ところで、フラッシュユニットには、メインコンデンサに蓄積された高電圧の電力を供給するための高圧ラインと、発光開始・停止を制御するための信号を送信する制御ラインとを接続する必要がある。このような接続には、従来はリード線を端子に半田付けすることで行っている（特許文献１参照）。
【特許文献１】特開２００２−３４１４１４号公報
【発明の開示】
【発明が解決しようとする課題】
【０００３】
しかるに、高圧ラインに半田付けされた端子に隣接した端子に、制御ラインを半田付けすると、高圧ラインの影響を受けて、制御ラインにノイズなどの影響が生じやすいという問題がある。ところが、複数の端子を設けた汎用のコネクタ端子ユニットは、一般的に端子ピッチが一定であるため、これを、高電圧ラインの影響を回避すべくそれを接続する端子のみ離すように仕様変更すると、コネクタ端子ユニットの単価が大きく増大するという問題がある。
【０００４】
本発明は、かかる問題に鑑みてなされたものであり、高圧ラインの影響を回避して、フラッシュユニットと制御用基板とを適切に接続できるコネクタ端子ユニットを提供することを目的とする。
【課題を解決するための手段】
【０００５】
第１の本発明のコネクタ端子ユニットは、フラッシュユニットと、制御用基板とを電気的に接続するために用いる、複数の端子を有するコネクタ端子ユニットにおいて、
前記フラッシュユニットに供給される電力を供給するための高電圧ラインが接続される端子に隣接する端子（空端子という）には、電気的接続を行わないので、例えば、前記高圧ラインに接続された端子に隣接した端子以外の端子に、信号を伝達するためのラインを接続することによって、前記高圧ラインの影響を回避して、適切な信号の授受を行うことができる。ここで、「高電圧ライン」とは、１００Ｖ以上の高電圧が供給されるラインをいうものとする。又、「電気的接続を行わない」とは、ラインと空端子との間を絶縁することをいい、例えばフレキシブルプリント基板において、空端子と接続するためのランド部を形成しないことを含むものである。
【０００６】
更に、前記コネクタ端子ユニットの前記電気的接続を行わない端子以外の端子を、プリント基板のランド部に対して機械的に接触する位置に配置したときに、前記プリント基板における前記電気的接続を行わない端子に対応する位置には、ランド部が形成されていないので、前記高電圧ラインと、信号を送信するラインとの間に存在する絶縁部を広く確保することができ、それにより前記高電圧ラインの影響をより小さく抑えることができる。
【０００７】
更に、前記電気的接続を行わない端子は、少なくとも一部が前記コネクタ端子ユニットより削除されていると、より前記高圧ラインの影響を回避できるので好ましい。
【０００８】
更に、前記電気的接続を行わない端子は、少なくとも一部が絶縁体で覆われていると、より前記高圧ラインの影響を回避できるので好ましい。
【０００９】
更に、前記コネクタ端子ユニットが３つ以上の端子を有し、前記高電圧ラインが接続される端子に隣接する端子に、更に隣接する端子には、高電圧ラインの影響によるノイズを無視できるような、前記フラッシュユニットの制御と関係ない信号を送信するためのラインが接続されると、より前記高圧ラインの影響を回避できるので好ましい。
【００１０】
第２の本発明のコネクタ端子ユニットは、フラッシュユニットと、制御用基板とを電気的に接続するために用いる、３つ以上の端子を有するコネクタ端子ユニットにおいて、
同電位の高電圧ラインが接続される第１端子と第２端子間の距離は、前記第１端子又は前記第２端子以外の電気的接続を行う第３端子から、前記第１端子と前記第２端子のうち近い方の端子までの距離より小さいので、例えば端子ピッチが等しい汎用のコネクタ端子ユニットを用いた場合などに、前記第１，第２の端子に接続される前記高圧ラインの影響を回避して、それらから離れた前記第３端子を介して適切な信号の授受を行うことができる。
【００１１】
更に、前記コネクタ端子ユニットが等間隔に配置された端子を有しているときは、前記高電圧ラインが接続される第１端子と第２端子に隣接する端子を排除し、排除した端子に隣接していた端子を第３の端子として使用すると、コネクタ端子ユニットのコストを上昇させることなく、前記高圧ラインの影響を回避できるので好ましい。
【００１２】
前記ラインと端子とは機械的に接続されるようになっていると、分解時やリサイクル時の手間が省けるので好ましい。
【発明の効果】
【００１３】
本発明によれば、高電圧ラインの影響を回避して、フラッシュユニットと制御用基板とを適切に接続できるコネクタ端子ユニットを提供することができる。
【発明を実施するための最良の形態】
【００１４】
以下、本発明の実施の形態を図面を用いて説明する。図１は、本実施の形態におけるコネクタ端子ユニットを用いたカメラの概略構成図である。尚、本実施の形態に示すカメラにおいては、例えばボディの一方側にフラッシュ基板（制御用基板）４２とメインコンデンサＣ１とが配設され、その反対側にフラッシュユニット１２が配設されており、フラッシュ １２内のキセノン管に設けた両極端子（＋側、−側）とメインコンデンサＣ１の両極端子とを結ぶ２本の電源用リード線Ｘｅ+，Ｘｅ-と、トリガ電圧を伝送する１本のトリガ用リード線ＴＲＧとの合計３本のフラッシュ関連のリード線に加えて、セルフタイマ用のリード線Ｓｘをフレキシブルプリント基板ＦＰＣを用いて引き回している。
【００１５】
図に示すように、本実施の形態では、各リード線（ラインともいう）Ｘｅ+，Ｘｅ-，ＴＲＧ、Ｓｘは、一端がフラッシュ基板４２に半田付けされ、他方は、ボディに固設されたコネクタ端子ユニット４３に接続されている。コネクタ端子ユニット４３を介して、各リード線Ｘｅ+，Ｘｅ-，ＴＲＧは、フラッシュユニット１２に接続され、リード線Ｓｘは、セルフタイマランプＬＥＤに接続されている。
【００１６】
メイン基板３１には、相互通信可能なメインＣＰＵ３２とインターフェースＩＣ３３以外に、インターフェースＩＣ３３によって制御されると共にモータ類などの大電流の駆動を行うモータドライバ４４、メインＣＰＵ３２と通信し各種データを記憶するＥＥＰＲＯＭ４５、メインＣＰＵ３２のクロック発信を行うクロック回路４６、モータドライバ４４に供給する電圧を増幅するＤＣ／ＤＣ回路４７等が設けられている。
【００１７】
又、ファインダフレキシブル基板３４には、メインＣＰＵ３２とシリアル通信を行い、メインＣＰＵ３２からの指令に基づいて動作するサブＣＰＵチップ４１が設けられている。メインＣＰＵ３２は全体の制御の一環として、サブＣＰＵチップ４１に対し必要な動作を指令する。サブＣＰＵチップ４１は、ファインダフレキシブル基板３４の上面に設けられた外部表示用ＬＣＤ１３ａを駆動するＬＣＤドライバ４１ａを内蔵すると共に、デート写し込みに用いる時計カウントを行なうクロック回路４８が接続されている。
【００１８】
更に、フラッシュ基板４２には、メインコンデンサＣ１に対して電荷を昇圧充電する充電回路５１と、フラッシュ １２に設けたキセノン管（図示せず）に発光を開始させるためのトリガ電圧を発生させるトリガ回路５２とが設けられている。従って、上述した３本のリード線Ｘｅ+，Ｘｅ-、ＴＲＧへ出力する信号は、既にフラッシュ 基板４２内で完結されることになる。
【００１９】
又、鏡枠フレキシブル基板３５には、鏡枠内での駆動系、つまりシャッタやフォーカスレンズなどの駆動用アクチュエータ５３が接続され、又これらの動きを検出するための各種センサ類５４が実装されている。これらはメイン基板３１に設けられた各素子に接続されて処理される。
【００２０】
更に、駆動系フレキシブル基板３６は、内装部本体２１の下面、或いはグリップ部と反対側等に配置された、巻上げ・ズーム用モータ６１や、これらの動きを検出するセンサ６２等が実装されており、それらから延出する信号線はメイン基板３１に接続されて処理される。
【００２１】
図２は、フレキシブルプリント基板ＦＰＣの上面図であり、図３は、フレキシブルプリント基板ＦＰＣとコネクタ端子ユニット４３との結線状態を示す図であり、図４は、コネクタ端子ユニット４３の一部斜視図である。
【００２２】
図４に示すように、コネクタ端子ユニット４３は、樹脂製の雌部材４３Ａと雄部材４３Ｂとからなる。雌部材４３Ａには、金属片を折り曲げて凹部を形成した複数の雌端子４３ａ、４３ａ、・・・が設けられ、不図示の回路に接続されている。一方、雄部材４３Ｂには、金属片を折り曲げて凸部を形成した複数の雌端子４３ｂ、４３ｂ、・・・が設けられ、フレキシブルプリント基板ＦＰＣに接続されている。雌部材４３Ａと雄部材４３Ｂとを対向させ、雌端子４３ａ、４３ａ、・・・の凹部に、雄端子４３ｂ、４３ｂ、・・・の凸部を係合させることで、両者間に機械的且つ電気的な連結が達成される。尚、端子のピッチは一定となっている。
【００２３】
図２において、フレキシブルプリント基板ＦＰＣのリード線Ｘｅ+は、２本に分岐された上で、端子Ｔ１，Ｔ２（雌端子４３ａ及び雄端子４３ｂに対応；以下同じ）に接続されている。一方、フレキシブルプリント基板ＦＰＣのリード線Ｘｅ-は、２本に分岐された上で、端子Ｔ１’，Ｔ２’（雌端子４３ａ、雄端子４３ｂに対応；以下同じ）に接続されている。
【００２４】
端子Ｔ２に隣接する端子Ｔ３，及び端子Ｔ２’に隣接する端子Ｔ３’は、空端子となっており、いかなるリード線も接続されていない。更に、端子Ｔ３に隣接する端子Ｔ４，及び端子Ｔ３’に隣接する端子Ｔ４’には、セルフタイマ用のリード線Ｓｘが接続されている。更に、端子Ｔ４に隣接する端子Ｔ５，及び端子Ｔ４’に隣接する端子Ｔ５’には、フラッシュトリガ用のリード線ＴＲＧが接続されている。
【００２５】
フラッシュ発光時には、トリガ回路５２よりリード線ＴＲＧを介して、トリガ信号がフラッシュユニット１２に送信され、それに応動して、メインコンデンサＣ１から電源用リード線Ｘｅ+，Ｘｅ-を介して供給される高電圧により、フラッシュユニット１２のキセノン管が発光するようになっている。
【００２６】
本実施の形態によれば、フラッシュユニット１２に供給される電力を供給するための高電圧のリード線Ｘｅ+，Ｘｅ-が接続される端子Ｔ１，Ｔ２（又はＴ１’、Ｔ２’）に隣接する端子Ｔ３（又はＴ３’）は、電気的接続を行わないように空端子とするので、端子Ｔ２（又はＴ２’）から空端子Ｔ３（又はＴ３’）を挟んで隣接する端子Ｔ４（又はＴ４’）に、フラッシュユニット１２の制御に関係のないセルフタイマ用のリード線Ｓｘを接続することによって、高電圧のリード線Ｘｅ+，Ｘｅ-の影響を回避して、適切な信号の授受を行うことができる。
【００２７】
特に、トリガ用のリード線ＴＲＧは、このような高電圧のリード線Ｘｅ+，Ｘｅ-の影響を受けやすいので、本実施の形態では、端子Ｔ２（又はＴ２’）から更に離れた端子Ｔ５（又はＴ５’）に接続している。高電圧のリード線Ｘｅ+，Ｘｅ-が接続される端子Ｔ１，Ｔ２（又はＴ１’、Ｔ２’）のいずれかは、端子の並びの最も端にあると好ましい。
【００２８】
尚、空端子Ｔ３，Ｔ３’は、図４に示す雌端子４３ａ、雄端子４３ｂの少なくとも一方の一部もしくは全体を除去すると、高電圧のリード線Ｘｅ+，Ｘｅ-の影響を更に回避できる。空端子Ｔ３，Ｔ３’を除去しない場合は、絶縁体を被覆すると良い。又、空端子Ｔ３，Ｔ３’に、フレキシブルプリント基板ＦＰＣのランド部を接触させない構成としたり、フレキシブルプリント基板ＦＰＣのいずれかのリード線を接続した場合でも、接続したリード線をいずれの電気回路に接続しなければ同様の効果を得られる。
【００２９】
本実施の形態を別な視点から見ると、同電位の高電圧のリード線Ｘｅ+，Ｘｅ-に接続される端子（第１端子とする）Ｔ１、Ｔ１’と端子（第２端子とする）Ｔ２，Ｔ２’との間の距離（ここでは端子１ピッチ分）は、セルフタイマ用のリード線Ｓｘを接続する端子（ここでは第３端子）Ｔ４，Ｔ４’と第２端子Ｔ２，Ｔ２’との間の距離（ここでは端子２ピッチ分）より小さい。又、第１端子Ｔ１，Ｔ１’と第２端子Ｔ２，Ｔ２’との間の距離は、トリガ用のリード線ＴＲＧを接続する端子（ここでは第３端子）Ｔ５，Ｔ５’と第２端子Ｔ２，Ｔ２’との間の距離（ここでは端子３ピッチ分）より、更に小さい。従って、端子ピッチが一定である汎用のコネクタ端子ユニットを用いた場合にも、端子Ｔ２，Ｔ２’に接続される高電圧のリード線Ｘｅ+，Ｘｅ-の影響を回避して、それらから離れた端子Ｔ４，Ｔ４’又はＴ５，Ｔ５’を介して適切な信号の授受を行うことができる。尚、この場合、空端子Ｔ３，Ｔ３’は除去するとよい。
【００３０】
以上、本発明を実施の形態を参照して説明してきたが、本発明は上記実施の形態に限定して解釈されるべきではなく、適宜変更・改良が可能であることはもちろんである。本発明のコネクタ端子ユニットは、携帯電話、パソコン、ＰＤＡ、ＡＶ装置、テレビ、家庭電化製品など種々のものに組み込むことが可能と考えられる。
【図面の簡単な説明】
【００３１】
【図１】本実施の形態におけるコネクタ端子ユニットを用いた電子カメラの概略構成図である。
【図２】フレキシブルプリント基板ＦＰＣの上面図である。
【図３】フレキシブルプリント基板ＦＰＣとコネクタ端子ユニット４３との結線状態を示す図である。
【図４】コネクタ端子ユニット４３の一部斜視図である。
【符号の説明】
【００３２】
１２ フラッシュユニット
２１ 内装部本体
３１ メイン基板
３４ ファインダフレキシブル基板
３５ 鏡枠フレキシブル基板
３６ 駆動系フレキシブル基板
４１ チップ
４１ａ ドライバ
４２ フラッシュ基板
４２ 基板
４３ コネクタ端子ユニット
４３Ａ 雌部材
４３Ｂ 雄部材
４３ａ 雌端子
４３ｂ 雄端子
４３ｂ 雌端子
４４ モータドライバ
４６ クロック回路
４７ 回路
４８ クロック回路
５１ 充電回路
５２ トリガ回路
５３ 駆動用アクチュエータ
５４ 各種センサ類
６１ ズーム用モータ
６２ センサ
Ｃ１ メインコンデンサ
ＦＰＣ フレキシブルプリント基板
ＩＣ３３ インターフェース
ＬＥＤ セルフタイマランプ
Ｓｘ セルフタイマ用リード線
Ｔ１〜Ｔ５、Ｔ１’〜Ｔ５’ 端子
ＴＲＧ トリガ用リード線
Ｘｅ+、Ｘｅ- 電源用リード線
【図１】
2005302638.tif 000003
【図２】
2005302638.tif 000004
【図３】
2005302638.tif 000005
【図４】
2005302638.tif 000006